(57)【要約】      （修正有）【課題】叩き式、回転式按摩を施すことができ、より大きい力で特定の部位に対して按摩し、又は按摩を緩和に施すことができるマッサージ器を提供する。【解決手段】台座１０と、駆動シャフト２１を有し、駆動シャフト２１の周面に駆動歯部２１１を設け、駆動シャフトが台座に延び込む駆動モータと、台座に収容し、駆動歯部と噛合い、駆動モータ２０に駆動されて回転する駆動ギヤ組３０と、駆動ギヤ組と連接するように設け、その一面にはその中心を囲む傾斜歯部４１１を複数設ける。これらの傾斜歯部は傾斜歯最高点４１２と、傾斜歯最低点４１３とを有する駆動具４１と、駆動軸４２に嵌め設け、駆動具の傾斜歯部が設けられる面に向いており、その駆動具に向いている面に傾斜凹部４３１を複数設ける。各傾斜凹部は凹部最低点４３２と、凹部最高点４３３とを有する押え具４３と、駆動軸の他端に連接される按摩具７０と、を含む。【選択図】図１
0003171852.tif 000002
【実用新案登録請求の範囲】
【請求項１】
台座と、
駆動シャフトを有し、前記駆動シャフトの周面に駆動歯部が設けられ、前記駆動シャフトが前記台座に延び込む駆動モータと、
前記台座に収容され、前記駆動歯部と噛合い、前記駆動モータに駆動されて回転する駆動ギヤ組と、
前記駆動ギヤ組と連接するように設けられ、前記駆動ギヤ組に連動され、その一面には、その中心を囲む傾斜歯部が複数設けられ、これらの前記傾斜歯部は、傾斜歯最高点と、傾斜歯最低点と、をそれぞれ有し、傾斜歯斜面により前記傾斜歯最高点と前記傾斜歯最低点が連接され、前記傾斜歯部の前記傾斜歯最高点は隣接する前記傾斜歯部の前記傾斜歯最低点と隣接する駆動具と、
駆動軸に嵌め設けられ、前記駆動軸の一端が前記駆動ギヤ組に挿入し、前記駆動具の前記傾斜歯部が設けられる面に向いており、その前記駆動具に向いている面に傾斜凹部が複数設けられ、それぞれの前記傾斜凹部は、凹部最低点と、凹部最高点と、を有し、凹部斜面により前記凹部最低点と前記凹部最高点が連接され、前記傾斜凹部の前記凹部最低点は隣接する前記傾斜凹部の前記凹部最高点と隣接し、それぞれの前記傾斜凹部がそれぞれ前記各駆動具の前記傾斜歯部と嵌合する押え具と、
前記駆動軸の他端に連接され、前記駆動軸に連動される按摩具と、
を含むことを特徴とするマッサージ器。
【請求項２】
前記マッサージ器は更に、蓋を含み、前記蓋は、前記台座をカバーし、前記二つの駆動軸の他端が前記蓋を挿通して外側に延びることを特徴とする、請求項１に記載のマッサージ器。
【請求項３】
前記マッサージ器は更に、スリーブを含み、前記スリーブは、前記駆動軸に嵌め設けられ、前記駆動軸と前記蓋の間に位置されることを特徴とする、請求項２に記載のマッサージ器。
【請求項４】
前記駆動ギヤ組は、動かしギヤと、連動ギヤと、駆動ギヤと、を含み、前記連動ギヤが前記動かしギヤと連接して前記動かしギヤに連動され、前記動かしギヤが前記駆動シャフトの前記駆動歯部と噛合い、前記駆動ギヤが前記連動ギヤと噛合い、前記駆動軸が前記駆動ギヤ組の前記駆動ギヤに挿入され、前記駆動具が前記駆動ギヤの一面に設けられ、前記駆動具が前記駆動ギヤと共に回転することを特徴とする、請求項１に記載のマッサージ器。
【請求項５】
前記駆動具の前記傾斜歯斜面は、時計方向に沿って前記傾斜歯最高点から前記傾斜歯最低点まで徐々に降下しながら延び、前記押え具の前記凹部斜面は、時計方向に沿って前記凹部最低点から前記凹部最高点まで徐々に上昇しながら延びることを特徴とする、請求項１に記載のマッサージ器。
【考案の詳細な説明】
【技術分野】
【０００１】
本考案は、マッサージ器に関し、特に、物理的に施療可能なマッサージ器に関するものである。
【背景技術】
【０００２】
現在、心身の疲労感を除去するために、各種類のマッサージ器を利用する国民がどんどん増えている。各種類のマッサージ器の按摩の形態が異なるが、よく見られるのは、回転可能な按摩ヘッドを有する回転式マッサージ器、或いは按摩装置が振動可能な振動式マッサージ器である。あるユーザはマッサージ器によりツボを按摩される。ツボを按摩する効果を増加するために、按摩の力を適当に増加することが必要である。
【考案の概要】
【考案が解決しようとする課題】
【０００３】
本考案の主な目的は、叩き式按摩及び回転式按摩を施すことができ、しかもより大きい力で特定の部位に対して按摩し、又は按摩を緩和に施すことができるマッサージ器を提供することにある。
【課題を解決するための手段】
【０００４】
本考案のマッサージ器によると、台座と；駆動シャフトを有し、駆動シャフトの周面に駆動歯部が設けられ、駆動シャフトが台座に延び込む駆動モータと；台座に収容され、駆動歯部と噛合い、駆動モータに駆動されて回転する駆動ギヤ組と；駆動ギヤ組と連接するように設けられ、駆動ギヤ組に連動され、その一面には、その中心を囲む傾斜歯部が複数設けられ、これらの傾斜歯部は、傾斜歯最高点と、傾斜歯最低点と、をそれぞれ有し、傾斜歯斜面により傾斜歯最高点と傾斜歯最低点が連接され、傾斜歯部の傾斜歯最高点は隣接する傾斜歯部の傾斜歯最低点と隣接する駆動具と；駆動軸に嵌め設けられ、駆動軸の一端が駆動ギヤ組に挿入し、駆動具の傾斜歯部が設けられる面に向いており、その駆動具に向いている面に傾斜凹部が複数設けられ、各傾斜凹部は、凹部最低点と、凹部最高点と、をそれぞれ有し、凹部斜面により凹部最低点と凹部最高点が連接され、傾斜凹部の凹部最低点は隣接する傾斜凹部の凹部最高点と隣接し、各傾斜凹部がそれぞれ各駆動具の傾斜歯部と嵌合する押え具と；駆動軸の他端に連接され、駆動軸に連動される按摩具と；を含むことを特徴とする。
【０００５】
本考案のマッサージ器によると、更に、蓋を含み、蓋は、台座をカバーし、二つの駆動軸の他端が蓋を挿通して外側に延びることを特徴とする。
【０００６】
本考案のマッサージ器によると、更に、スリーブを含み、スリーブは、駆動軸に嵌め設けられ、駆動軸と蓋の間に位置することを特徴とする。
【０００７】
本考案のマッサージ器によると、駆動ギヤ組は、動かしギヤと、連動ギヤと、駆動ギヤと、を含み、連動ギヤが動かしギヤと連接して動かしギヤに連動され、動かしギヤが駆動シャフトの駆動歯部と噛合い、駆動ギヤが連動ギヤと噛合い、駆動軸が駆動ギヤ組の駆動ギヤに挿入され、駆動具が駆動ギヤの一面に設けられ、駆動具が駆動ギヤと共に回転することを特徴とする。
【０００８】
本考案のマッサージ器によると、駆動具の傾斜歯斜面は、時計方向に沿って傾斜歯最高点から傾斜歯最低点まで徐々に降下しながら延び、押え具の凹部斜面は、時計方向に沿って凹部最低点から凹部最高点まで徐々に上昇しながら延びることを特徴とする。
【考案の効果】
【０００９】
本考案のマッサージ器によれば、叩き式按摩及び回転式按摩を施すことができ、そしてより大きい力で特定の部位に対して按摩し、又は按摩を緩和に施すことができるという効果を奏する。
【図面の簡単な説明】
【００１０】
【図１】本考案の一実施例の構成を示す分解斜視図である。
【図２】本考案の一実施例の組合済み状態を示す斜視図である。
【図３】本考案の按摩具、スリーブ及び蓋を取り外した状態を示す斜視図である。
【図４Ａ】本考案の一実施例の組合済み状態を示す断面図である。
【図４Ｂ】図４Ａの一部の拡大図である。
【図５Ａ】本考案の一実施例の別の使用状態を示す断面図である。
【図５Ｂ】図５Ａの一部の拡大図である。
【図６】本考案の連動ユニットが別の態様のマッサージ器に適用される状態を示す模式図である。
【図７】本考案の連動ユニットが更に別の態様のマッサージ器に適用される状態を示す模式図である。
【考案を実施するための最良の形態】
【００１１】
以下、本考案の実施の形態を図面に基づいて説明する。
まず、図１乃至図５Ａ、図５Ｂを参照する。本考案の一実施例のマッサージ器は、台座１０と、駆動モータ２０と、二つの駆動ギヤ組３０と、二つの連動ユニット４０と、押え具４３と、蓋５０と、二つのスリーブ６０と、少なくとも一つの按摩具７０と、を含む。
【００１２】
駆動モータ２０は、駆動シャフト２１を有し、駆動シャフト２１の周面に駆動歯部２１１が設けられ、駆動シャフト２０が台座１０に延び込む。
【００１３】
二つの駆動ギヤ組３０は、台座１０に収容され、動かしギヤ３１と、連動ギヤ３２と、駆動ギヤ３３と、を含む。連動ギヤ３２が動かしギヤ３１と連接して動かしギヤ３１に連動される。二つの駆動ギヤ組３０はそれぞれ駆動シャフト２１の両側に位置する。駆動ギヤ組３０により、動かしギヤ３１が駆動シャフト２１の駆動歯部２１１と噛合う。駆動ギヤ３３が連動ギヤ３２と噛合う。各駆動ギヤ組３０は、駆動歯部２１１と噛合うため、駆動モータ２０に駆動され可能である。
【００１４】
二つの連動ユニット４０は、駆動具４１と、駆動軸４２と、押え具４３と、をそれぞれ含む。
【００１５】
各連動ユニット４０の駆動具４１は、駆動ギヤ３３の一面に設けられ、これにより、駆動ギヤ３３と共に回転できる。駆動具４１には、その中心を囲む傾斜歯部４１１が複数設けられる。これらの傾斜歯部４１１は、傾斜歯最高点４１２と、傾斜歯最低点４１３と、をそれぞれ有する。傾斜歯斜面４１４により傾斜歯最高点４１２と傾斜歯最低点４１３が連接される。傾斜歯斜面４１４は、時計方向に沿って傾斜歯最高点４１２から傾斜歯最低点４１３まで徐々に降下しながら延びる。傾斜歯部４１１の傾斜歯最高点４１２は隣接する傾斜歯部４１１の傾斜歯最低点４１３と隣接する。
【００１６】
押え具４３は、駆動軸４２に嵌め設けられ、駆動軸４２の一端が駆動ギヤ３３に挿入する。押え具４３の駆動具４１に向いている面に傾斜凹部４３１が複数設けられる。各傾斜凹部４３１は、凹部最低点４３２と、凹部最高点４３３と、をそれぞれ有する。凹部斜面４３４により凹部最低点４３２と凹部最高点４３３が連接される。凹部斜面４３４は、時計方向に沿って凹部最低点４３２から凹部最高点４３３まで徐々に上昇しながら延びる。傾斜凹部４３１の凹部最低点４３２は隣接する傾斜凹部４３１の凹部最高点４３３と隣接する。各押え具４３の各傾斜凹部４３１はそれぞれ各駆動具４１の傾斜歯部４１１と嵌合する。
【００１７】
蓋５０は、台座１０をカバーし、二つの駆動軸４２の他端が蓋５０を挿通して外側に延びる。
【００１８】
二つのスリーブ６０は、駆動軸４２に嵌め設けられ、駆動軸４２と蓋５０の間に位置する。
【００１９】
少なくとも一つの按摩具７０（本実施例では、按摩具７０が二つあり）は、駆動軸４２の蓋５０を挿通して外部に延びる一端に連接され、駆動軸４２に連動され可能である。
【００２０】
次に、本考案の使用方法を説明する。まず、駆動モータ２０を起動して、駆動シャフト２１が回転する。駆動シャフト２１が回転すると、駆動シャフト２１と噛合う駆動ギヤ組３０が駆動されて回転する。このとき、二つの連動ギヤ３２は動かしギヤ３１と共に回転する。連動ギヤ３２が回転しているときには、連動ギヤ３２と噛合う駆動ギヤ３３が駆動されて回転する。駆動ギヤ３３が回転しているときには、駆動ギヤ３３に設けられる駆動具４１も回転する。駆動具４１の回転は二つの状態がある。
【００２１】
一つの状態は、駆動具４１が駆動ギヤ３３に駆動されて反時計方向に回転しているときには、駆動具４１の傾斜歯部４１１が押え具４３の傾斜凹部４３１に収容されて、駆動具４１の傾斜歯部４１１の傾斜歯斜面４１４が傾斜凹部４３１の凹部斜面４３４に当接し、且つ駆動具４１の傾斜歯部４１１の傾斜歯最高点４１２が押え具４３の傾斜凹部４３１の凹部最低点４３２に対応し、駆動具４１と押え具４３が噛合い状態となって、押え具４３が駆動具４１に駆動され可能である。駆動ギヤ３３が持続に回転しているときには、駆動具４１が連動されて押え具４３を回転して、駆動軸４２が押え具４３に駆動されて按摩具７０を回転する。そうすると、回転している按摩具７０はユーザを按摩するという効果を達成できる。
【００２２】
もう一つの状態は、駆動具４１が駆動ギヤ３３に駆動されて時計方向に回転しているときには、駆動具４１の傾斜歯斜面４１４が押え具４３の凹部斜面４３４に沿って変位する。駆動具４１の傾斜歯最高点４１２を動作の始まりとして説明する場合には、最初に、傾斜歯最高点４１２が傾斜凹部４３１の凹部最低点４３２に収容され、且つ傾斜歯最低点４１３が傾斜凹部４３１の凹部最高点４３３に収容される。そうすると、傾斜歯部４１１は傾斜凹部４３１に当接して駆動され可能である。駆動具４１が持続に回転しているときには、傾斜歯部４１１の傾斜歯最高点４１２が凹部最高点４３３に持続に移動する。そうすると、押え具４３は駆動具４１の傾斜歯部４１１に押えられて上方に変位する。回転を引き続く場合には、駆動具４１が持続に上下動し、図４Ａ、図４Ｂ、及び図５Ａ、図５Ｂに示すように、按摩具７０はユーザを叩く効果を達成できる。
【００２３】
上記の説明から明らかなように、駆動具４１、押え具４３の傾斜歯部４１１と傾斜凹部４３１の合せにより、駆動モータ２０を回転すると、ユーザに叩き式按摩又は揉み式按摩を施すことができる。叩き式按摩により、ユーザの特定の部位に対してより大きい力によって按摩できる。揉み式按摩により、ユーザを温和に按摩できる。本実施例では、二つの按摩具７０が二つの駆動ギヤ組３０と二つの連動ユニットに合せて利用するが、もちろん、按摩具７０の数量は一つだけでもよい。これも同じ按摩効果を達成できる。駆動ギヤ組３０も構成の配置によって数量又は位置を変更できる。駆動ギヤ組３０は、駆動モータ２０の駆動シャフト２１の駆動歯部２１１と噛合い、且つ駆動具４１と連接する限り、利用できる。構成の配置の自由度は極めて高い。
【００２４】
図６を参照する。図６は本考案の連動ユニット４０が別の態様のマッサージ器に適用される状態を示す模式図である。駆動モータ２０は、台座１０の内部に設けられ、その両端に駆動シャフト２１がそれぞれ延びる。駆動モータ２０の両端にある駆動シャフト２１は、それぞれ駆動ギヤ組３０と噛合って駆動され可能である。各駆動ギヤ組３０は連動ユニット４０と噛合う。各連動ユニット４０の駆動軸４２は、蓋５０を挿通して外部に延び、按摩具７０を駆動できる。按摩具７０により、ユーザに叩き式按摩又は揉み式按摩を施すことができる。
【００２５】
図７を参照する。図７は本考案の連動ユニット４０が更に別の態様のマッサージ器に適用される状態を示す模式図である。駆動モータ２０は、台座１０の内部に設けられ、その両端に駆動シャフト２１がそれぞれ延びる。各駆動シャフト２１は、連動ユニット４０と直接に噛合う。各連動ユニット４０の駆動軸４２は、蓋５０を挿通して外部に延び、按摩具７０を駆動できる。按摩具７０により、ユーザに叩き式按摩又は揉み式按摩を施すことができる。
【産業上の利用可能性】
【００２６】
本考案は、マッサージ器に適用することができる。
【符号の説明】
【００２７】
１０：台座
２０：駆動モータ
２１：駆動シャフト
３０：駆動ギヤ組
３１：動かしギヤ
３２：連動ギヤ
３３：駆動ギヤ
４０：連動ユニット
４１：駆動具
４２：駆動軸
４３：押え具
５０：蓋
６０：スリーブ
７０：按摩具
２１１：駆動歯部
４１１：傾斜歯部
４１２：傾斜歯最高点
４１３：傾斜歯最低点
４１４：傾斜歯斜面
４３１：傾斜凹部
４３２：凹部最低点
４３３：凹部最高点
４３４：凹部斜面
【図１】
0003171852.tif 000003
【図２】
0003171852.tif 000004
【図３】
0003171852.tif 000005
【図４Ａ】
0003171852.tif 000006
【図４Ｂ】
0003171852.tif 000007
【図５Ａ】
0003171852.tif 000008
【図５Ｂ】
0003171852.tif 000009
【図６】
0003171852.tif 000010
【図７】
0003171852.tif 000011